(57)【要約】【課題】アンテナの完全な収納状態から最大引出し状態までのいずれの位置においても、筐体の振動によるアンテナ下端の給電端子部の振動を防止して異音の問題を解消する。【解決手段】携帯通信機器の筐体内にアンテナガイドチューブを設け、該アンテナガイドチューブ内にアンテナを引出し可能に収納する引出し式アンテナの収納部構造であって、アンテナガイドチューブ６の断面形状を、その内周に対しアンテナの下端部（給電端子部２２）が少なくとも部分的に常時接触するよう非円形に形成する。具体的には、ガイドチューブ６を径方向に押し潰して断面略楕円形部６１とする。【選択図】図１
2005295162.tif 000002
【特許請求の範囲】
【請求項１】
携帯通信機器の筐体内にアンテナガイドチューブを設け、該アンテナガイドチューブ内にアンテナを引出し可能に収納する引出し式アンテナの収納部構造であって、
前記アンテナガイドチューブの断面形状を、その内周に対し前記アンテナの下端部が少なくとも部分的に常時接触するよう非円形に形成したことを特徴とする引出し式アンテナの収納部構造。
【請求項２】
前記アンテナガイドチューブを径方向に押し潰して断面略楕円形部としたことを特徴とする請求項１に記載の引出し式アンテナの収納部構造。
【請求項３】
前記アンテナガイドチューブに長さ方向に沿った切り込みを形成し、その切り込みの両側部を内側に曲げて内方突出部としたことを特徴とする請求項１に記載の引出し式アンテナの収納部構造。
【発明の詳細な説明】
【技術分野】
【０００１】
本発明は、携帯通信機器に備えられる引出し式アンテナの収納部構造に関する。
【背景技術】
【０００２】
携帯電話機に代表される携帯通信機器にはアンテナが備えられており、引出し式アンテナを備えたものが多い。
図９は引出し式アンテナの従来一般的な収納部構造を示したもので、１は筐体、２はアンテナ、２２は給電端子部、２３はロッド部、３はアンテナホルダ、９はガイドチューブである。
アンテナ２は、携帯通信機器の筐体１から引き出したり筐体１に収納したりする際に、筐体１内に設けられている他の部品や部材に接触したり引っ掛かったりすることがないようにするため、図示のように、下端の給電端子部２２を含んでロッド部２３が、筐体１内に設けたガイドチューブ９内を移動するようになっている。
【０００３】
このような収納部構造では、アンテナ２の出し入れをスムーズに行うため、ガイドチューブ９の内径は、アンテナ２の下端に備えられている給電端子部２２の外径よりも大きく形成されている。このため、アンテナ２を筐体１内に収納した状態で筐体１に振動が加わると（例えば着信報知手段としてバイブレータを備えた携帯通信機器において、着信によりバイブレータが作動すると）、アンテナ２の下端の給電端子部２２が振動しガイドチューブ９の内周にぶつかって異音が発生するという不具合があった。
【０００４】
このような不具合を解消するため、ガイドチューブ内の下端に内周から突部を設けて、アンテナの収納時にアンテナ下端の給電端子部をガイドチューブ下端内の突部により挟み込んで密着保持するようにした提案がなされている（例えば特許文献１、２参照）。
図１０はガイドチューブ９の下端の一側方に突部９１を設けた従来対策構造例１（特許文献１参照）を示したものであり、図１１はガイドチューブ９の下端に直径方向に対向する突部９２・９３を形成した従来対策構造例２（特許文献２参照）を示したものである。
【特許文献１】特開２０００−１５１２４０号公報
【特許文献２】特開２０００−３０７３１６号公報
【発明の開示】
【発明が解決しようとする課題】
【０００５】
しかし、いずれの対策構造例によっても、図１０及び図１１に示されるように、アンテナ２が中途半端に収納されてアンテナ下端のストッパ部（給電端子部）がガイドチューブ９の下端の突部９１、９２・９３から離れている状態では、筐体１の振動による異音の発生を抑えることができない問題があった。
【０００６】
本発明の課題は、アンテナの完全な収納状態から最大引出し状態までのいずれの位置においても、筐体の振動によるアンテナ下端の給電端子部の振動を防止して異音の問題を解消することである。
【課題を解決するための手段】
【０００７】
以上の課題を解決するため、請求項１に記載の発明は、例えば図１から図４、または図５から図８に示すように、携帯通信機器の筐体内にアンテナガイドチューブを設け、該アンテナガイドチューブ内にアンテナを引出し可能に収納する引出し式アンテナの収納部構造であって、前記アンテナガイドチューブ６・７の断面形状を、その内周に対し前記アンテナの下端部（給電端子部２２）が少なくとも部分的に常時接触するよう非円形に形成したことを特徴とする。
【０００８】
請求項１に記載の発明によれば、アンテナを引出し自在に組み込むアンテナガイドチューブの断面形状を非円形として、アンテナの下端部を、アンテナガイドチューブの断面非円形部の内周に対し少なくとも部分的に常時接触させるようにしたので、アンテナの完全な収納状態から最大引出し状態までのいずれの位置においても、筐体の振動に伴うアンテナ下端部の振動を防止できる。
従って、筐体の振動による異音の問題を解消できる。
【０００９】
請求項２に記載の発明は、請求項１に記載の引出し式アンテナの収納部構造であって、例えば図１から図４に示すように、前記アンテナガイドチューブ６を径方向に押し潰して断面略楕円形部６１としたことを特徴とする。
【００１０】
請求項２に記載の発明によれば、アンテナガイドチューブを径方向に押し潰した断面略楕円形部とすることで、その略楕円形部内の短径部にアンテナ下端部が常時接触する。
【００１１】
請求項３に記載の発明は、請求項１に記載の引出し式アンテナの収納部構造であって、例えば図５から図８に示すように、前記アンテナガイドチューブ７に長さ方向に沿った切り込み７２を形成し、その切り込み７２の両側部を内側に曲げて内方突出部７４としたことを特徴とする。
【００１２】
請求項３に記載の発明によれば、アンテナガイドチューブの長さ方向に沿った切り込みの両側部を内側に曲げた内方突出部とすることで、その内方突出部にアンテナ下端部が常時接触する。さらに、アンテナガイドチューブの内方突出部と直径方向に対向する部分にもアンテナ下端部が常時接触する。
【発明の効果】
【００１３】
本発明によれば、アンテナガイドチューブの断面形状を非円形として、その断面非円形部の内周に対しアンテナ下端部を少なくとも部分的に常時接触させるため、アンテナの完全な収納状態から最大引出し状態までのいずれの位置においても、筐体の振動に伴うアンテナ下端部の振動を防止でき、従って、異音の問題を解消できる。
【発明を実施するための最良の形態】
【００１４】
以下、図を参照して本発明を実施するための最良の形態を詳細に説明する。
（実施形態１）
本発明を適用したアンテナ収納部構造の実施形態１の構成を示す図１において、１は筐体（ケース）、２はアンテナ（ロッドアンテナ）、２１は第１給電端子部、２２は第２給電端子部、２３はロッド部、２４はアンテナトップ、３はアンテナホルダ、４は給電用コイルスプリング、５はナット、６はガイドチューブ、６１は非円形部（略楕円形部）である。
【００１５】
図１（ａ）に示すように、携帯電話機等の携帯通信機器の筐体をなすケース１の一側部にロッドアンテナ（以下、単にアンテナと呼ぶ）２がアンテナホルダ３及びガイドチューブ６を介して引出し自在に組み込まれている。
アンテナ２は、第１給電端子部２１及び第２給電端子部２２を上下端に有するロッド部２３とアンテナトップ２４からなる。すなわち、ロッド部２３の上端に径を大きくした第１給電端子部２１、下端に径を大きくした第２給電端子部２２が形成されており、第１給電端子部２１に連続してアンテナトップ２４が設けられている。
なお、ロッド部２３は棒状アンテナを樹脂で被覆したもので、第２給電端子部２２はこの棒状アンテナに接続されているが、第１給電端子部２１は、アンテナトップ２４内にヘリカルアンテナが組み込まれている場合は、そのヘリカルアンテナに接続され、ヘリカルアンテナが組み込まれていない場合は、ロッド部２３の棒状アンテナに接続されている。
【００１６】
アンテナホルダ３は、ロッド部２３を中心孔に挿通してアンテナ２を支持するもので、図１（ｂ）に示したように、雄ねじ部３１に対し上方の大径部内に凹部３２が形成され、下方の小径部内に給電スプリング収容部３３が形成されている。この給電スプリング収容部３３に金属製の給電用コイルスプリング４が収容されている。
このアンテナホルダ３は、ケース１外方の大径部側に第１給電端子部２１及びアンテナトップ２４を位置させて、ケース１内方で雄ねじ部３１にナット５を締め付けて固定されており、アンテナ２を筐体１内に完全に収納した状態では、第２給電端子部２１の先端部分がアンテナホルダ３の小径部内に嵌入して給電用コイルスプリング４と接触し、アンテナ２を筐体１から完全に引き出した状態では、第１給電端子部２２の大半がアンテナホルダ３の小径部内に嵌入して給電用コイルスプリング４に接触するようになっている。なお、アンテナ２の第２給電端子部２２はアンテナ２を筐体１から引き出した際のストッパ部を兼ねている。
【００１７】
そして、アンテナホルダ３のケース１内方の小径部には、図示しないが、ＲＦ回路に接続された金属製の給電用板バネが接触しているとともに、図示のように、ガイドチューブ６が一体化して取り付けられている。ガイドチューブ６は、アンテナ２のロッド部２３を挿通して、その下端の第２給電端子部２２をガイドするものである。
このガイドチューブ６はプラスチック製で、図２から図４に示したように、上下端を除いて断面形状が非円形部（略楕円形部）６１に形成されている。すなわち、アンテナホルダ３の小径部に嵌合固定される上端と底蓋６２で閉じられる下端を除いて、ガイドチューブ６をその直径方向に押し潰し加工することで、断面形状を非円形部である略楕円形部６１としたガイドチューブ６となっている。
【００１８】
従って、第２給電端子部２２は、図１、図３及び図４に示すように、ガイドチューブ６の上下端を除いた中間部の断面略楕円形部６１内に常時接触する状態、つまり、その短径部に常時接触する状態となっている。
【００１９】
ここで、アンテナ２は収納状態、すなわち、ロッド部２３上端の第１給電端子部２１がアンテナホルダ３の中心孔上端に対しストッパ部となって接触した給電状態に保持された状態では、ロッド部２３下端の第２給電端子部２２がガイドチューブ６の断面略楕円形部６１内の下端寄りに位置した状態となる。
また、アンテナ２は最大引出し状態、すなわち、ロッド部２３下端の第２給電端子部２２が断面略楕円形部６１内を移動してガイドチューブ６上端に位置する状態において、第２給電端子部２２がアンテナホルダ３の中心孔下端に対しストッパ部となって接触状態に保持された給電状態となる。
【００２０】
以上のように、実施形態１のアンテナ収納部構造によれば、アンテナ２の収納状態から最大引出し状態までのいずれの位置においても、ロッド部２３下端の第２給電端子部２２がガイドチューブ６の断面略楕円形部６１内の短径部に常時接触する状態に維持される。
このため、ケース１が振動した場合、例えばケース１内に着信報知手段として備えられたバイブレータが着信により振動した場合でも、ロッド部２３下端の第２給電端子部２２は、ガイドチューブ６の断面略楕円形部６１内の短径部に常時接触していて振動することはない。
従って、アンテナ２の収納状態から中途半端に収納されている状態において、ケース１の振動に伴う第２給電端子部２２の振動に起因する異音発生の問題は解消される。
【００２１】
（実施形態２）
本発明を適用したアンテナ収納部構造の実施形態２の構成を示す図５において、前述した実施形態１と同様、１は筐体（ケース）、２はアンテナ（ロッドアンテナ）、２１は第１給電端子部、２２は第２給電端子部、２３はロッド部、２４はアンテナトップ、３はアンテナホルダ、４は給電用コイルスプリング（図略）、５はナットであって、７はガイドチューブ、７１は非円形部（欠円状部）、７４は内方突出部である。
【００２２】
この実施形態２は、図５に示すように、ガイドチューブ７の断面形状を非円形部（欠円状部）７１とした点が前述した実施形態１と異なるだけで、他は実施形態１と同様につきその説明を省略する。
このガイドチューブ７はプラスチック製で、上下端を除いて、図７及び図８に示したように、断面形状が非円形部である欠円状部７１となっている。
【００２３】
すなわち、この断面欠円状部７１の形成は、先ず、ガイドチューブ７に、図６に示すように、その上下端を除いて長さ方向の切り込み７２と、その上下に連続する横方向の切り込み７３を形成しておく。
そして、長さ方向の切り込み７２の両側部を内側に巻き込んだり折り曲げる曲げ加工することで、図７及び図８に示すように、左右一対の内方突出部７４を形成する。これにより、断面形状を欠円状部７１としたガイドチューブ７が得られる。
【００２４】
従って、第２給電端子部２２は、図５、図７及び図８に示すように、ガイドチューブ７の上下端を除いた中間部の断面欠円状部７１内に常時接触する状態、つまり、左右一対の内方突出部７４に常時接触する状態になるとともに、その内方突出部７４と直径方向に対向する部分にも常時接触する状態となっている。
【００２５】
このような実施形態２のアンテナ収納部構造によっても、アンテナ２の収納状態から最大引出し状態までのいずれの位置においても、ロッド部２３下端の第２給電端子部２２がガイドチューブ７の断面欠円状部７１内の左右一対の内方突出部７４と、その直径方向に対向する部分に常時接触する状態に維持される。
このため、前述した実施形態１と同様、ケース１が振動した場合（例えばバイブレータが着信により振動した場合）でも、ロッド部２３下端の第２給電端子部２２は、ガイドチューブ７の断面欠円状部７１内の内方突出部７４及びその直径方向に対向する部分に常時接触していて振動することはない。
【００２６】
なお、以上の実施形態においては、ガイドチューブの断面形状を略楕円形部や欠円状部としたが、本発明はこれに限定されるものではなく、要はアンテナの下端部が少なくとも部分的に常時接触するよう非円形であれば良い。
また、ガイドチューブの非円形部の形成方法等も任意であり、その他、具体的な細部構造等についても適宜に変更可能であることは勿論である。
【図面の簡単な説明】
【００２７】
【図１】本発明を適用したアンテナ収納部構造の実施形態１の構成を示す縦断面図（ａ）とそのアンテナホルダを拡大して示した縦断面図（ｂ）である。
【図２】図１のガイドチューブの拡大斜視図である。
【図３】図１のガイドチューブとアンテナ下端の給電端子部の接触状態を示すもので、一部を破断して示した拡大斜視図である。
【図４】図３の上方から見た図である。
【図５】本発明を適用したアンテナ収納部構造の実施形態２の構成を示す縦断面図である。
【図６】図５のガイドチューブの変形前を示すもので、切り込み箇所を示した拡大斜視図である。
【図７】図５のガイドチューブとアンテナ下端の給電端子部の接触状態を示すもので、一部を破断して示した拡大斜視図である。
【図８】図７の上方から見た図である。
【図９】引出し式アンテナの従来一般的な収納部構造を示した縦断面図である。
【図１０】ガイドチューブ下端の一側方に突部を設けた従来対策構造例１を示した縦断面図である。
【図１１】ガイドチューブ下端に直径方向に対向する突部を形成した従来対策構造例２を示した縦断面図である。
【符号の説明】
【００２８】
１  筐体（ケース）
２  アンテナ（ロッドアンテナ）
２１  第１給電端子部
２２  第２給電端子部
２３  ロッド部
２４  アンテナトップ
３  アンテナホルダ
３１  雄ねじ部
３２  凹部
３３  給電スプリング収容部
４  給電用コイルスプリング
５  ナット
６  ガイドチューブ
６１  非円形部（略楕円形部）
７  ガイドチューブ
７１  非円形部（欠円状部）
７２  長さ方向の切り込み
７３  横方向の切り込み
７４  内方突出部
【図１】
2005295162.tif 000003
【図２】
2005295162.tif 000004
【図３】
2005295162.tif 000005
【図４】
2005295162.tif 000006
【図５】
2005295162.tif 000007
【図６】
2005295162.tif 000008
【図７】
2005295162.tif 000009
【図８】
2005295162.tif 000010
【図９】
2005295162.tif 000011
【図１０】
2005295162.tif 000012
【図１１】
2005295162.tif 000013